(57)【要約】【課題】異常の内容に応じた動作を行うことのできる非常用または誘導用の照明装置を提供すること。【解決手段】実施形態に係る照明装置は、非常用または誘導用の照明装置であって、蓄電池と、通信部と、制御部とを具備する。通信部は、情報の送受信を行う。制御部は、異常信号を取得した場合に、取得した異常信号の内容に応じて蓄電池または通信部を制御する。【選択図】図５
2019061806.tif 000002
【特許請求の範囲】
【請求項１】
非常用または誘導用の照明装置であって、
蓄電池と；
情報の送受信を行う通信部と；
異常信号を取得した場合に、取得した前記異常信号の内容に応じて前記蓄電池または前記通信部を制御する制御部と；
を具備する、照明装置。
【請求項２】
前記制御部は、前記異常信号を取得した場合に、前記通信部から送信される情報を第１情報から非常用または誘導用の情報である第２情報に変更する、請求項１に記載の照明装置。
【請求項３】
前記制御部は、前記異常信号を取得した場合に、前記通信部による情報の送信頻度を変更する、請求項１に記載の照明装置。
【請求項４】
前記制御部は、前記異常信号を取得した場合に、前記通信部による情報の送信を中断させ、予め設定された時間が経過した場合に、前記通信部による情報の送信を再開させる、請求項１に記載の照明装置。
【請求項５】
前記制御部は、前記異常信号を取得した場合に、前記通信部から送信される情報を第１情報から非常用または誘導用の情報である第２情報に変更する第１の処理、前記通信部による情報の送信頻度を変更する第２の処理、および、前記通信部による情報の送信を中断させ、予め設定された時間が経過した場合に、前記通信部による情報の送信を再開させる第３の処理のうちの少なくとも１つを前記蓄電池の残容量に応じて行う、請求項１に記載の照明装置。
【請求項６】
前記制御部は、復旧信号を取得した場合に、前記蓄電池または前記通信部を制御して、自装置の状態を前記異常信号を取得する前の状態に戻す、請求項１〜５のいずれか一つに記載の照明装置。
【発明の詳細な説明】
【技術分野】
【０００１】
本発明の実施形態は、非常用または誘導用の照明装置に関する。
【背景技術】
【０００２】
従来、停電時や災害時等の非常時に点灯する非常用または誘導用の照明装置が知られている。
【先行技術文献】
【特許文献】
【０００３】
【特許文献１】特開２００４−１８５９７８号公報
【発明の概要】
【発明が解決しようとする課題】
【０００４】
上述した従来の照明装置は、単に非常点灯を行うに過ぎず、非常点灯以外の多様な動作を行うことはできない。
【０００５】
本発明は、異常の内容に応じた動作を行うことのできる非常用または誘導用の照明装置を提供することを目的とする。
【課題を解決するための手段】
【０００６】
実施形態に係る照明装置は、非常用または誘導用の照明装置であって、蓄電池と、通信部と、制御部とを具備する。通信部は、情報の送受信を行う。制御部は、異常信号を取得した場合に、取得した異常信号の内容に応じて蓄電池または通信部を制御する。
【発明の効果】
【０００７】
本発明によれば、異常の内容に応じた動作を行うことができる。
【図面の簡単な説明】
【０００８】
【図１】図１は、実施形態に係る照明装置の概要を示す図である。
【図２】図２は、実施形態に係る照明装置の構成例を示す図である。
【図３】図３は、実施形態に係る記憶部の構成例を示す図である。
【図４】図４は、実施形態に係る制御部の構成例を示す図である。
【図５】図５は、実施形態に係る非常時対応処理の一例を示すフローチャートである。
【図６】図６は、実施形態における第１の変形例に係る提供情報の一例を示す図である。
【図７】図７は、実施形態における第２の変形例に係る非常時対応処理の一例を示す図である。
【図８】図８は、実施形態における第３の変形例に係る非常時対応処理の一例を示す図である。
【図９】図９は、実施形態における第６の変形例に係る一連の点検処理の一例を示すシーケンス図である。
【発明を実施するための形態】
【０００９】
以下で説明する実施形態に係る照明装置１０は、非常用または誘導用の照明装置であって、蓄電池１３と、通信部１２と、制御部１６とを具備する。通信部１２は、情報の送受信を行う。制御部１６は、異常信号を取得した場合に、取得した異常信号の内容に応じて蓄電池１３または通信部１２を制御する。
【００１０】
また、以下で説明する実施形態に係る照明装置１０において、制御部１６は、異常信号を取得した場合に、通信部１２から送信される情報を第１情報から非常用または誘導用の情報である第２情報に変更する。
【００１１】
また、以下で説明する実施形態に係る照明装置１０において、制御部１６は、異常信号を取得した場合に、通信部１２による情報の送信頻度を変更する。
【００１２】
また、以下で説明する実施形態に係る照明装置１０において、制御部１６は、異常信号を取得した場合に、通信部１２による情報の送信を中断させ、予め設定された時間が経過した場合に、通信部１２による情報の送信を再開させる。
【００１３】
また、以下で説明する実施形態に係る照明装置１０において、制御部１６は、異常信号を取得した場合に、通信部１２から送信される情報を第１情報から非常用または誘導用の情報である第２情報に変更する第１の処理、通信部１２による情報の送信頻度を変更する第２の処理、および、通信部１２による情報の送信を中断させ、予め設定された時間が経過した場合に、通信部１２による情報の送信を再開させる第３の処理のうちの少なくとも１つを蓄電池１３の残容量に応じて行う。
【００１４】
また、以下で説明する実施形態に係る照明装置１０において、制御部１６は、復旧信号を取得した場合に、蓄電池１３または通信部１２を制御して、自装置の状態を異常信号を取得する前の状態に戻す。
【００１５】
［実施形態］
＜照明装置の概要＞
まず、本発明の実施形態に係る照明装置１０の概要について図１を参照して説明する。図１は、実施形態に係る照明装置１０の概要を示す図である。図１では、デパート等の商業施設に設置された照明装置１０が来客者４の来客者端末４０に対して情報提供を行う場合の例を示している。
【００１６】
図１に示す照明装置１０は、たとえば、非常灯などの非常用照明装置である。非常用照明装置としての照明装置１０は、施設内に所定の間隔で設置され、停電時や災害時等の非常時に避難誘導のために室内や廊下を照らす。なお、照明装置１０は、非常口や避難通路を示すために設置される誘導灯であってもよい。また、照明装置１０は、常時は照明装置として点灯し、停電時に避難誘導のために室内や廊下を照らす照明装置であってもよい。
【００１７】
照明装置１０は、非常用ランプ等の光源１１と蓄電池１３とを具備し、たとえば外部電源６からの電力供給が遮断された場合に、蓄電池１３から供給される電力を用いて光源１１を点灯させることによって施設内を照らす。
【００１８】
また、実施形態に係る照明装置１０は、通信部１２を具備する。実施形態に係る照明装置１０は、かかる通信部１２を用いて、たとえば、自装置が設置されている商品売り場で販売されている商品に関する情報（以下、「商品情報」と記載する）を通信エリア１００内にブロードキャストすることができる。商品情報は、たとえば、タイムセールの情報や新商品の入荷情報などである。照明装置１０は、たとえば１秒間に１〜２回程度の間隔で通信エリア１００内に商品情報をブロードキャストする。
【００１９】
通信エリア１００内にブロードキャストされた商品情報は、通信エリア１００内に位置する来客者４の来客者端末４０によって受信される。来客者端末４０は、たとえば、スマートフォンやタブレット型端末等であり、受信した商品情報をディスプレイに表示させることで、来客者４に商品情報を通知する。
【００２０】
照明装置１０から送信される商品情報は、商品の購入を検討している来客者４にとって有用な情報となり得る。しかしながら、商品情報は、停電時や災害時等の非常時においてまで有用な情報とは言い難い。
【００２１】
そこで、実施形態に係る照明装置１０では、通常時と、停電時や災害時等の非常時とで、通信部１２から送信する情報を異ならせることとした。たとえば、外部電源６から供給される電圧が閾値を下回ると、停電を示す異常信号が照明装置１０の内部で発生する。照明装置１０は、かかる異常信号を取得した場合に、蓄電池１３を制御して通信部１２に電力を供給させる。これにより、停電中においても通信部１２を機能させることができる。
【００２２】
そして、照明装置１０は、通信部１２を制御することにより、通信部１２から送信する情報を商品情報から避難経路情報に切り替える。避難経路情報は、照明装置１０が設置される施設における避難経路を示す情報である。避難経路情報は、照明装置１０の通信エリア１００内に位置する来客者４の来客者端末４０によって受信されて、来客者端末４０のディスプレイに表示される。なお、避難経路情報は、来客者端末４０のスピーカから出力される音声情報であってもよい。これにより、照明装置１０は、停電時や災害時等の非常時において有用な避難経路情報を来客者４に対して提供することができる。
【００２３】
＜照明装置の構成＞
次に、実施形態に係る照明装置１０の構成について図２を参照して説明する。図２は、実施形態に係る照明装置１０の構成例を示す図である。
【００２４】
図２に示すように、照明装置１０は、光源１１と、通信部１２と、蓄電池１３と、取得部１４と、記憶部１５と、制御部１６とを具備する。なお、図２に示す外部電源６は、たとえば電力会社等から供給される電力源である。また、外部電源６は、太陽光発電システムから供給される電力源であってもよい。
【００２５】
光源１１は、たとえば非常用ランプであり、外部電源６から供給される電力が著しく低下した場合すなわち停電時に点灯する。光源１１としては、たとえば蛍光灯やＬＥＤ（Light  Emitting  Diode）等、目的に応じて種々の光源が用いられてもよい。
【００２６】
通信部１２は、たとえばビーコンであり、上述したように双方向通信および片方向通信の両方を行うことができる。通信部１２は、たとえば、ＢＬＥ（Bluetooth（登録商標）  Low  Energy）の規格にしたがった通信方式で無線通信を行う。
【００２７】
通信部１２は、外部電源６から供給される電力によって動作する。一方、通信部１２は、停電時においては、後述する蓄電池１３から供給される電力によって動作する。このように、通信部１２は、停電時においても動作可能である。
【００２８】
蓄電池１３は、停電時において非常用電源として利用される。蓄電池１３は、照明装置１０に対して着脱自在である。蓄電池１３は、外部電源６から供給される電力によって充電される。
【００２９】
取得部１４は、照明装置１０の各種情報を取得するセンサである。たとえば、取得部１４は、外部電源６から供給される電圧が閾値を下回った場合に、停電が発生したことを示す異常信号を制御部１６へ出力する。また、取得部１４は、外部電源６から供給される電圧が閾値を下回った状態から閾値以上となった場合に、停電から復旧したことを示す復旧信号を制御部１６へ出力する。また、取得部１４は、蓄電池１３の残容量に関する情報を取得して、制御部１６へ出力する。その他、取得部１４は、光源１１の点灯状況に関する情報を取得してもよいし、照明装置１０内部の温度情報を取得してもよい。
【００３０】
記憶部１５は、たとえば、ＤＲＡＭ（Dynamic  Random  Access  Memory）、ＳＲＡＭ（Static  Random  Access  Memory）、フラッシュメモリ等の記憶装置である。図３は、実施形態に係る記憶部１５の構成例を示す図である。図３に示すように、記憶部１５は、第１提供情報１５１と、第２提供情報１５２とを記憶する。
【００３１】
第１提供情報１５１および第２提供情報１５２は、通信部１２からブロードキャストされる情報である。第１提供情報１５１は、たとえば上述した商品情報のように、通常時においてブロードキャストされる情報である。また、第２提供情報１５２は、たとえば上述した避難経路情報のように、非常時においてブロードキャストされる情報である。なお、第１提供情報１５１は、商品情報に限定されず、また、第２提供情報１５２は、避難経路情報に限定されない。
【００３２】
制御部１６は、照明装置１０の各部を制御するコントローラである。制御部１６は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。また、制御部１６は、１つの素子で構成されていてもよいし、複数の素子で構成されていてもよい。制御部１６が複数の素子で構成される場合、これら複数の素子は、照明装置１０内の離れた場所に配置されていてもよい。例えば、複数の素子が別々の基板に実装されていてもよい。
【００３３】
図４は、実施形態に係る制御部１６の構成例を示す図である。図４に示すように、制御部１６は、点灯部１６１と、蓄電池制御部１６２と、通信制御部１６３とを具備する。これらは制御部１６の機能を示す機能ブロックである。これら機能ブロックはソフトウェアブロックであってもよいし、ハードウェアブロックであってもよい。たとえば、上述の機能ブロックが、それぞれ、ソフトウェア（マイクロプログラムを含む）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。
【００３４】
点灯部１６１は、光源１１の点灯及び消灯を制御する。点灯部１６１は、たとえば、取得部１４から停電が発生したことを示す異常信号（以下、「第１異常信号」と記載する）を取得した場合に、非常時対応処理として、蓄電池１３から供給される電力を用いて光源１１を点灯させる。
【００３５】
蓄電池制御部１６２は、蓄電池１３を制御する。たとえば、蓄電池制御部１６２は、外部電源６から供給される電力を用いて蓄電池１３を充電する。蓄電池制御部１６２は、蓄電池１３の蓄電量が所定量以上となった場合は充電を行わないようにしてもよい。
【００３６】
また、蓄電池制御部１６２は、取得部１４から第１異常信号を取得した場合、すなわち、停電が発生した場合、非常時対応処理として、蓄電池１３に蓄えられた電力を光源１１、通信部１２および制御部１６等に供給させる。また、蓄電池制御部１６２は、取得部１４から復旧信号を取得した場合、すなわち、停電から復旧した場合に、蓄電池１３からの電力供給を停止して、外部電源６から光源１１、通信部１２および制御部１６等に電力を供給させる。
【００３７】
通信制御部１６３は、通信部１２を制御する。具体的には、通信制御部１６３は、異常信号を取得した場合、非常時対応処理として、取得した異常信号の内容に応じて通信部１２を制御することにより、通信部１２からブロードキャストする情報を切り替える処理を行う。
【００３８】
＜非常時対応処理の手順＞
次に、実施形態に係る照明装置１０が実行する非常時対応処理の手順について図５を参照して説明する。図５は、実施形態に係る非常時対応処理の一例を示すフローチャートである。
【００３９】
図５に示すように、照明装置１０は、取得部１４から停電が発生したことを示す異常信号である第１異常信号を取得したか否かを判定する（ステップＳ１０１）。ステップＳ１０１において、第１異常信号を取得した場合（ステップＳ１０１，Ｙｅｓ）、照明装置１０は、蓄電池１３を制御して、蓄電池１３からの電力供給を開始させる（ステップＳ１０２）。また、照明装置１０は、蓄電池１３から供給される電力を用いて光源１１を点灯させる（ステップＳ１０３）。
【００４０】
一方、ステップＳ１０１において、第１異常信号を取得していない場合（ステップＳ１０１，Ｎｏ）、照明装置１０は、第２異常信号を取得したか否かを判定する（ステップＳ１０４）。
【００４１】
ここで、第２異常信号は、第１異常信号とは異なる異常、すなわち、停電以外の非常事態の発生を示す情報である。たとえば、第２異常信号は、火災の発生を示す信号である。かかる第２異常信号は、たとえば、照明装置１０の通信エリア１００内に設置された通信機能を有する火災報知器等から通信部１２を介して取得され得る。
【００４２】
ステップＳ１０４において、照明装置１０は、第２異常信号を取得した場合（ステップＳ１０４，Ｙｅｓ）、処理をステップＳ１０５に移行する。
【００４３】
ステップＳ１０５において、照明装置１０は、提供情報切替処理を行う。具体的には、照明装置１０は、通信部１２を制御することにより、通信部１２からブロードキャストする情報を商品情報等の第１提供情報１５１から避難経路情報等の第２提供情報１５２に切り替える。ステップＳ１０５の処理を終えたとき、または、ステップＳ１０４において第２異常信号を取得していない場合（ステップＳ１０４，Ｎｏ）、照明装置１０は、処理を終える。
【００４４】
上述したように、実施形態に係る照明装置１０は、非常用または誘導用の照明装置であって、蓄電池１３と、通信部１２と、制御部１６とを具備する。通信部１２は、情報の送受信を行う。制御部１６は、異常信号を取得した場合に、取得した異常信号の内容に応じて蓄電池１３または通信部１２を制御する。すなわち、照明装置１０の制御部１６は、第１異常信号を取得した場合には、蓄電池１３を制御して蓄電池１３からの電力供給を開始させるとともに、通信部１２を制御して提供情報切替処理を行う。一方、照明装置１０の制御部１６は、第２異常信号を取得した場合には、蓄電池１３の制御を行うことなく、通信部１２を制御して提供情報切替処理を行う。したがって、実施形態に係る非常用または誘導用の照明装置１０によれば、異常の内容に応じた動作を行うことができる。
【００４５】
また、実施形態に係る照明装置１０において、制御部１６は、第１異常信号または第２異常信号を取得した場合に、通信部１２から送信される情報を第１提供情報１５１（第１情報の一例）から非常用または誘導用の情報である第２提供情報１５２（第２情報の一例）に変更する。これにより、照明装置１０は、停電時や災害時等の非常時において有用な避難経路情報等の第２提供情報１５２を来客者４に対して提供することができる。
【００４６】
＜変形例＞
上述した実施形態は一例を示したものであり、種々の変更及び応用が可能である。
【００４７】
（第１の変形例）
照明装置１０は、第１異常信号および第２異常信号の取得状況の組合せに応じて、通信部１２からブロードキャストする第２提供情報１５２の内容を異ならせてもよい。図６は、実施形態における第１の変形例に係る提供情報の一例を示す図である。
【００４８】
たとえば、照明装置１０は、停電の発生を示す第１異常信号および停電以外の非常事態の発生を示す第２異常信号の両方を取得した場合には、通信部１２を制御して、通信部１２から通信エリア１００内に第１避難経路情報をブロードキャストする。また、照明装置１０は、第１異常信号を取得し、第２異常信号を取得していない場合、すなわち、停電のみが発生している場合には、通信部１２を制御して、通信部１２から通信エリア１００内に第２避難経路情報をブロードキャストする。また、照明装置１０は、第２異常信号を取得し、第１異常信号を取得していない場合、すなわち、非常時ではあるが停電は発生していない場合には、通信部１２を制御して、通信部１２から通信エリア１００内に第３避難経路情報をブロードキャストする。一方、第１異常信号および第２異常信号の何れも取得していない場合には、照明装置１０は、通信部１２から商品情報等の第１提供情報１５１をブロードキャストする。
【００４９】
このように、照明装置１０は、第１異常信号および第２異常信号の取得状況の組合せに応じて、通信部１２からブロードキャストする第２提供情報１５２の内容を異ならせてもよい。これにより、非常事態における各状況に応じた適切な情報を来客者４に対して提供することができる。
【００５０】
（第２の変形例）
図７は、実施形態における第２の変形例に係る非常時対応処理の一例を示す図である。上述した実施形態および第１の変形例では、非常時対応処理として、通信部１２からブロードキャストする情報を第１提供情報１５１から第２提供情報１５２に切り替える提供情報切替処理を行う場合の例について説明した。しかしながら、照明装置１０は、非常時対応処理として、必ずしも提供情報切替処理を行うことを要しない。すなわち、照明装置１０は、非常時において商品情報をブロードキャストし続けても構わない。
【００５１】
ただし、たとえば停電時において、蓄電池１３の限られた電力が商品情報の送信によって消費されることは好ましくない。そこで、図７に示すように、照明装置１０は、停電の発生を示す第１異常信号を取得した場合に、通信部１２による商品情報の送信頻度を変更してもよい。具体的には、照明装置１０は、第１異常信号を取得した場合に、商品情報の送信頻度を第１送信頻度から第１送信頻度よりも送信頻度が低い第２送信頻度に変更する。このように、商品情報の送信頻度を低下させることで、蓄電池１３の限られた電力を有効利用することができ、光源１１をより長時間点灯させておくことが可能となる。
【００５２】
（第３の変形例）
図８は、実施形態における第３の変形例に係る非常時対応処理の一例を示す図である。図８に示すように、照明装置１０の制御部１６は、第１異常信号を取得した場合に、通信部１２による情報の送信を中断させ、予め設定された時間が経過した場合に、通信部１２による情報の送信を再開させてもよい。
【００５３】
これにより、上述した第２の変形例と同様に、蓄電池１３の限られた電力を有効利用することができ、光源１１をより長時間点灯させておくことが可能となる。
【００５４】
（第４の変形例）
照明装置１０の制御部１６は、非常時対応処理として、上述した実施形態および第１〜第３の変形例において説明した処理の少なくとも１つを蓄電池１３の残容量に応じて行ってもよい。制御部１６は、蓄電池１３の残容量に関する情報を取得部１４（図２参照）から取得する。
【００５５】
たとえば、蓄電池１３の残容量が第１残容量よりも多い場合、照明装置１０の制御部１６は、提供情報切替処理を行ってもよい。また、制御部１６は、蓄電池１３の残容量が第１残容量以下であり且つ第２残容量（＜第１残容量）よりも多い場合には、提供情報切替処理において、通信部１２からブロードキャストする情報を第１提供情報１５１から第２提供情報１５２に切り替え、且つ、第２提供情報１５２を第１提供情報１５１よりも少ない送信頻度で送信するようにしてもよい。また、制御部１６は、蓄電池１３の残容量が第２残容量以下であり且つ第３残容量（＜第２残容量）よりも多い場合には、第３の変形例のように、通信部１２による情報の送信を中断させ、予め設定された時間が経過した場合に、通信部１２による情報の送信を再開させてもよい。
【００５６】
このように、第４の変形例に係る照明装置１０において、制御部１６は、第１異常信号を取得した場合に、通信部１２から送信される情報を第１提供情報１５１から非常用または誘導用の情報である第２提供情報１５２に変更する第１の処理、通信部１２による情報の送信頻度を変更する第２の処理、および、通信部１２による情報の送信を中断させ、予め設定された時間が経過した場合に、通信部１２による情報の送信を再開させる第３の処理のうちの少なくとも１つを蓄電池１３の残容量に応じて行ってもよい。これにより、蓄電池１３の残容量に応じた適切な非常時対応処理を行うことができる。
【００５７】
（第５の変形例）
上述した実施形態および第１〜第４の変形例において、制御部１６は、復旧信号を取得した場合に、蓄電池１３または通信部１２を制御して、自装置の状態を異常信号を取得する前の状態に戻すこととしてもよい。
【００５８】
たとえば、図５において、提供情報切替処理（ステップＳ１０５）を行った後、取得部１４または図示しない火災報知器等から復旧信号を取得した場合、制御部１６は、通信部１２からブロードキャストする情報を第１提供情報１５１に戻してもよい。また、制御部１６は、図７において、取得部１４から復旧信号を取得した場合に、商品情報の送信頻度を第１送信頻度に戻してもよい。また、図８において、商品情報のブロードキャストを中断している期間内に、取得部１４から復旧情報を取得した場合、制御部１６は、商品情報を送信する状態に戻してもよい。
【００５９】
このように、復旧信号を取得した場合に、自装置の状態を異常信号を取得する前の状態に自動的に戻すようにすることで、たとえば、照明装置１０が設置される施設の従業員等が手動で元の状態に戻す手間を省くことができる。
【００６０】
（第６の変形例）
上述した実施形態および各変形例では、照明装置１０が通信部１２を用いて片方向通信を行う場合の例について説明したが、照明装置１０は、通信部１２を用いて双方向通信を行うことも可能である。たとえば、照明装置１０は、来客者端末４０からの要求に応じて商品情報や避難経路情報を送信してもよい。
【００６１】
また、照明装置１０は、通信部１２による双方向通信を用いて点検者が所有する点検者端末との間で一連の点検処理を行うことも可能である。図９は、実施形態における第６の変形例に係る一連の点検処理の一例を示すシーケンス図である。ここでは、点検者端末３０から点検要求を受信する照明装置１０を「照明装置１０Ａ」と記載し、照明装置１０Ａから点検要求を受信する照明装置１０を「照明装置１０Ｂ」と記載する。
【００６２】
たとえば、施設内には複数の照明装置１０が設置される。各照明装置１０は、通信エリア内に位置する他の照明装置１０との間で相互にデータの送受信を行うことにより、各照明装置１０をノードとするメッシュネットワークを形成する。
【００６３】
図９に示すように、点検者が所有する点検者端末３０は、複数の照明装置１０のうち照明装置１０Ａに対して点検要求を送信する（ステップＳ１１）。点検要求の送信先となる照明装置１０Ａは任意である。たとえば、点検者は、自身に最も近い場所に設置されている照明装置１０Ａに対して点検者端末３０から点検要求を送信させる。
【００６４】
点検者端末３０から通信部１２を介して点検要求を受信した照明装置１０Ａは、点検者端末３０との間で識別情報やパスワード等を用いた通信確立処理を行い、点検者端末３０との間で通信が確立されると、通信エリア内に位置する他の照明装置１０Ｂに対して点検要求を転送する（ステップＳ１２）。また、照明装置１０Ａは、点検動作を開始する（ステップＳ１３）。点検動作は、たとえば、法令で定められた時間連続して光源１１を点灯させる動作である。
【００６５】
つづいて、照明装置１０Ｂは、照明装置１０Ａから点検要求を受信すると、照明装置１０Ａから受信した点検要求を通信エリア内に位置する他の照明装置１０（図示せず）に転送する（ステップＳ１４）。また、照明装置１０Ｂは、点検動作を開始する（ステップＳ１５）。
【００６６】
このようにして複数の照明装置１０の全てに点検要求が送信されて、複数の照明装置１０の全てが点検動作を開始する。なお、照明装置１０Ａ，１０Ｂは、点検動作を開始（ステップＳ１３，Ｓ１５）した後で、点検要求の転送（ステップＳ１２，Ｓ１４）を行ってもよい。
【００６７】
その後、点検者端末３０は、照明装置１０Ａに対して結果送信要求を送信する（ステップＳ１６）。点検者端末３０から結果送信要求を受信した照明装置１０Ａは、点検者端末３０との間で通信確立処理を行う。その後、点検者端末３０との間で通信が確立されると、照明装置１０Ａは、通信エリア内に位置する他の照明装置１０Ｂに対して結果送信要求を転送する（ステップＳ１７）。また、照明装置１０Ｂは、照明装置１０Ａから受信した結果送信要求を通信エリア内に位置する他の照明装置１０（図示せず）に転送する（ステップＳ１８）。これにより、複数の照明装置１０の全てに結果送信要求が送信される。
【００６８】
結果送信要求を受信した照明装置１０は、自装置の点検結果を通信エリア内に位置する他の照明装置１０へ送信する。また、各照明装置１０は、他の照明装置１０から受信した他装置の点検結果を通信エリア内に位置する照明装置１０へ転送する（ステップＳ１９，Ｓ２０）。各照明装置１０は、自装置の点検結果および受信した他装置の点検結果を記憶部１５に記憶させる。これにより、複数の照明装置１０の全てが、複数の照明装置１０の全ての点検結果を保持した状態となる。
【００６９】
その後、照明装置１０Ａは、点検者端末３０に対し複数の照明装置１０の全ての点検結果を送信する（ステップＳ２１）。
【００７０】
このように、点検者は、照明装置１０の通信部１２による双方向通信機能を用いて、施設内に設置された複数の照明装置１０の一括点検を行うことが可能である。
【００７１】
照明装置１０は、上記点検動作中に第１異常信号または第２異常信号を取得した場合に、通信部１２の通信方式を双方向通信から片方向通信に切り替えて、通信部１２から通信エリア１００内に第２提供情報１５２をブロードキャストするようにしてもよい。これにより、避難経路情報等の非常時に有用な情報を照明装置１０の点検者に対して提供することができる。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００７３】
４  来客者
１０  照明装置
１１  光源
１２  通信部
１３  蓄電池
１４  取得部
１５  記憶部
１６  制御部
３０  点検者端末
４０  来客者端末
１００  通信エリア
【図１】
2019061806.tif 000003
【図２】
2019061806.tif 000004
【図３】
2019061806.tif 000005
【図４】
2019061806.tif 000006
【図５】
2019061806.tif 000007
【図６】
2019061806.tif 000008
【図７】
2019061806.tif 000009
【図８】
2019061806.tif 000010
【図９】
2019061806.tif 000011